(57)【特許請求の範囲】
【請求項１】
建物の天井に設けられる開口部に取り付けられる矩形状の外枠と、この外枠内に開閉自在に取り付けられる内枠と、この内枠の内方側に取付具を用いて配設されるパネル体とを具備する天井点検口において、
上記内枠は、この内枠の側壁部に穿設される鉛直方向に延びるスリットと、側壁部の頂部から折曲する上方フランジ部と、側壁部の下部から折曲する下方フランジ部とを備え、
上記取付具は、１本の線状ばね部材が曲げ加工されて形成されており、線状ばね部材の端部に鉤状に形成されて上記内枠の下方フランジ部上に載置される上記パネル体の上面に当接係合する押さえ部と、上記内枠の上方フランジ部に係合する係合肩部と、この係合肩部と上記押さえ部の基端に連結されると共に、押さえ部と係合肩部との間に弾発力を促す変形腕部とを備え、
上記取付具の押さえ部を上記内枠のスリットに挿通させて押さえ部を上記パネル体の上面に当接係合させた状態で、上記変形腕部を変形させつつ上記係合肩部を内枠の上方フランジ部に係合させて、内枠にパネル体を固定してなる、ことを特徴とする天井点検口におけるパネル体の取付構造。
【請求項２】
請求項１記載の天井点検口におけるパネル体の取付構造において、
上記取付具は、線状ばね部材の両端部に鉤状に形成されて上記内枠の下方フランジ部上に載置される上記パネル体の上面に当接係合する押さえ部と、上記内枠の上方フランジ部に係合する左右一対の係合肩部と、この係合肩部と上記押さえ部の基端に連結されると共に、押さえ部と係合肩部との間に弾発力を促す左右一対の変形腕部とを備えてなる、ことを特徴とする天井点検口におけるパネル体の取付構造。
【請求項３】
請求項１又は２記載の天井点検口におけるパネル体の取付構造において、
上記押さえ部は、先端に向かって下り傾斜状に形成されている、ことを特徴とする天井点検口におけるパネル体の取付構造。
【請求項４】
請求項２又は３記載の天井点検口におけるパネル体の取付構造において、
上記左右の係合肩部を連結する上部連結部の中間部位に、内枠側と反対側に突出する押し代用の折曲部を形成してなる、ことを特徴とする天井点検口におけるパネル体の取付構造。
【発明の詳細な説明】
【技術分野】
【０００１】
この発明は天井点検口におけるパネル体の取付構造に関するものである。
【背景技術】
【０００２】
一般に、この種の天井点検口は、建物の天井に設けられる開口部に取り付けられる矩形状の外枠と、この外枠内に開閉自在に取り付けられる内枠と、この内枠の内方側に配設されるパネル体とで主に構成されている。この天井点検口において内枠にパネル体を取り付けるには、内枠に設けられた開口部に、押さえ具を用いてパネル体を取り付ける方法が知られている（例えば、特許文献１参照）。
【０００３】
上記押さえ具を用いてパネル体を取り付ける構造においては、図１１に示すように、押さえ具ａは、Ｕ字状に折曲する折曲部ｂと、この折曲部ｂの一端から折曲部ｂに対して直交する方向に折曲される下部押さえ部ｃと、折曲部ｂの他端から上記下部押さえ部ｃと平行になるように折曲される上部押さえ部ｄとで形成されている。
【０００４】
このように構成される押さえ具ａを用いて内枠ｅにパネル体ｆを取り付けるには、内枠ｅの底面部上にパネル体ｆを載置した状態で、押さえ具ａの折曲部ｂの下方部分を内枠ｅの下部嵌合溝ｇ内に収納すると共に、パネル体ｆの上面に下部押さえ部ｃを添わせ、上部嵌合溝ｈ内に折曲部ｂの上方部分を収納することによって押さえ具ａのばねの付勢力でパネル体ｆを内枠ｅの底面部上に押圧してパネル体ｆを内枠ｅに取り付ける構造である。
【特許文献１】特開２０００−１２０２５９号公報（特許請求の範囲、段落番号００１８，００１９、図２）
【発明の開示】
【発明が解決しようとする課題】
【０００５】
しかしながら、特開２０００−１２０２５９号公報に記載の構造においては、押さえ具を内枠の内側に設置する構造であるので、パネル体の厚みが厚い場合には、内枠の内側に押さえ具を設置するのが困難であり、パネル体の取り付けに手間がかかるという問題があった。また、押さえ具の下部押さえ部がパネル体に対して水平に添えられて押圧する構造であるので、内枠に対してパネル体が移動するという問題があった。
【０００６】
この発明は、上記事情に鑑みてなされたもので、パネル体の取付作業を容易にし、かつ、内枠とパネル体との取付強度の向上を図れるようにした天井点検口におけるパネル体の取付構造を提供することを課題とするものである。
【課題を解決するための手段】
【０００７】
上記課題を解決するため、請求項１記載の発明は、建物の天井に設けられる開口部に取り付けられる矩形状の外枠と、この外枠内に開閉自在に取り付けられる内枠と、この内枠の内方側に取付具を用いて配設されるパネル体とを具備する天井点検口において、  上記内枠は、この内枠の側壁部に穿設される鉛直方向に延びるスリットと、側壁部の頂部から折曲する上方フランジ部と、側壁部の下部から折曲する下方フランジ部とを備え、  上記取付具は、１本の線状ばね部材が曲げ加工されて形成されており、線状ばね部材の端部に鉤状に形成されて上記内枠の下方フランジ部上に載置される上記パネル体の上面に当接係合する押さえ部と、上記内枠の上方フランジ部に係合する係合肩部と、この係合肩部と上記押さえ部の基端に連結されると共に、押さえ部と係合肩部との間に弾発力を促す変形腕部とを備え、  上記取付具の押さえ部を上記内枠のスリットに挿通させて押さえ部を上記パネル体の上面に当接係合させた状態で、上記変形腕部を変形させつつ上記係合肩部を内枠の上方フランジ部に係合させて、内枠にパネル体を固定してなる、ことを特徴とする。
【０００８】
このように構成することにより、取付具の押さえ部を内枠のスリットに挿通させ、押さえ部をパネル体の上面に当接係合させた状態で、変形腕部を変形させつつ係合肩部を内枠の上方フランジ部に係合させて、取付具の弾性力によってパネル体を内枠に固定することができる。
【０００９】
また、請求項２記載の発明は、請求項１記載の天井点検口におけるパネル体の取付構造において、  上記取付具は、線状ばね部材の両端部に鉤状に形成されて上記内枠の下方フランジ部上に載置される上記パネル体の上面に当接係合する押さえ部と、上記内枠の上方フランジ部に係合する左右一対の係合肩部と、この係合肩部と上記押さえ部の基端に連結されると共に、押さえ部と係合肩部との間に弾発力を促す左右一対の変形腕部とを備えてなる、ことを特徴とする。この場合、上記左右の係合肩部を連結する上部連結部の中間部位に、内枠側と反対側に突出する押し代用の折曲部を形成する方が好ましい（請求項４）。
【００１０】
このように構成することにより、取付具の一対の押さえ部をパネル体の上面に当接係合させた状態で、左右一対の変形腕部を変形させつつ左右一対の係合肩部を内枠の上方フランジ部に係合させて、取付具の弾性力によってパネル体を内枠に固定することができる（請求項２）。この場合、左右の係合肩部を連結する上部連結部の中間部位に、内枠側と反対側に突出する押し代用の折曲部を形成することにより、押し代用の折曲部を内枠側に押し付けて係合肩部を内枠の上方フランジ部に係合することができる（請求項４）。
【００１１】
また、この発明において、上記押さえ部は、先端に向かって下り傾斜状に形成する方が好ましい（請求項３）。
【００１２】
このように構成することにより、押さえ部の先端部をパネル体の上面に食い込ませて係合することができる。
【発明の効果】
【００１３】
この発明の天井点検口におけるパネル体の取付構造は、上記のように構成されているので、以下のような効果が得られる。
【００１４】
（１）請求項１記載の発明によれば、内枠は、この内枠の側壁部に穿設される鉛直方向に延びるスリットと、側壁部の頂部から折曲する上方フランジ部と、側壁部の下部から折曲する下方フランジ部とを備え、この内枠にパネル体を取り付ける取付具は、１本の線状ばね部材が曲げ加工されて形成されており、線状ばね部材の端部に鉤状に形成されて内枠の下方フランジ部上に載置されるパネル体の上面に当接係合する押さえ部と、内枠の上方フランジ部に係合する係合肩部と、この係合肩部と押さえ部の基端に連結されると共に、押さえ部と係合肩部との間に弾発力を促す変形腕部とを備えるので、取付具の押さえ部を、外側から内枠のスリットに挿通させて押さえ部をパネル体の上面に当接係合させた状態で、変形腕部を変形させつつ係合肩部を内枠の上方フランジ部に係合させて、内枠にパネル体を固定することができる。したがって、パネル体の厚みが厚い場合においても取付具を内枠に容易に取り付けることができるので、内枠へのパネル体の取付作業を容易に行うことができる。また、取付具を少ない構成要素によって形成することができるので、取付具の加工工程を少なくすることができると共に、材料の削減を図ることができる。
【００１５】
（２）請求項２記載の発明によれば、取付具を、線状ばね部材の両端部に鉤状に形成されて内枠の下方フランジ部上に載置されるパネル体の上面に当接係合する一対の押さえ部と、内枠の上方フランジ部に係合する左右一対の係合肩部と、この係合肩部と押さえ部の基端に連結されると共に、押さえ部と係合肩部との間に弾発力を促す左右一対の変形腕部とで形成することにより、請求項１記載の発明と同様に、内枠へのパネル体の取付作業を容易に行うことができる。更に、取付具の強度を高くすることができるので、内枠へのパネル体の取り付けを確実にすることができる。
【００１６】
（３）請求項３記載の発明によれば、押さえ部を、先端に向かって下り傾斜状に形成することにより、押さえ部が撓んでも確実に先端部をパネル体の上面に食い込ませて係合することができるので、上記（１），（２）に加えて、更に確実にパネル体を固定することができる。
【００１７】
（４）請求項４記載の発明によれば、左右の係合肩部を連結する上部連結部の中間部位に、内枠側と反対側に突出する押し代用の折曲部を形成することにより、折曲部を内枠側に押し付けて係合肩部を内枠の上方フランジ部に簡単に係合させることができる。したがって、上記（２），（３）に加えて、更にパネル体の取付作業を容易かつ確実にすることができる。
【発明を実施するための最良の形態】
【００１８】
以下に、この発明の最良の実施形態を添付図面に基づいて詳細に説明する。
【００１９】
＜第１実施形態＞
図１は、この発明の第１実施形態に係るパネル体の取付構造を適用した天井点検口の取付部の要部を示す平面図（ａ）、（ａ）のＩ−Ｉ線に沿う断面図（ｂ）及び（ｂ）のII−II矢視図（ｃ）である。
【００２０】
上記天井点検口は、図１に示すように、建物の天井１に設けられる開口部２に吊持具１０を用いて取り付けられる矩形状の外枠３と、この外枠３内に開閉自在に取り付けられる内枠４と、この内枠４の内方側に配設されて、取付具５Ａを用いて取り付けられるパネル体６とを具備している。なお、天井１は、格子状に枠組みされる下地材である野縁１ｃと、野縁１ｃによって取り付けられる天井パネル１ｂとで構成されている。天井１の一部に設けられる開口部２における対向する辺側の野縁１ｃ上に、外枠３の一辺より若干長い寸法のチャンネル状の取付部材１ａが載置され、これら取付部材１ａに吊持金具１０を用いて外枠３が取り付けられている。
【００２１】
上記内枠４は、図１及び図３に示すように、対向する側壁部４１の適宜箇所例えば一辺の側壁部４１の左右２箇所に穿設される鉛直方向に延びるスリット４２と、側壁部４１の頂部から内枠４の外方側に略横Ｌ字状に折曲する上方フランジ部４３と、側壁部４１の下端から内枠４の内方向に延在する下方フランジ部４４とを備えている。このように構成される内枠４は、例えばアルミニウム合金製の押出形材にて形成される４本の外枠部材４ａを矩形状に組み付け、その隅角部をコーナ金具（図示せず）によって連結してなる。
【００２２】
一方、上記取付具５Ａは、図１ないし図３に示すように、１本の線状ばね部材の一端部に鉤状に形成されて内枠４の下方フランジ部４４上に載置される上記パネル体６の上面に当接係合する押さえ部５１と、内枠４の上方フランジ部４３に係合する係合肩部５２と、係合肩部５２と押さえ部５１の基端に連結されると共に、押さえ部５１と係合肩部５２との間に弾発力を促す略Ｌ字状に折曲された変形腕部５４と、係合肩部５２から斜め上方に直状に延在する係合端部５６とを備えている。なお、係合端部５６の先端に、係合端部５６より内方側に向かって円弧状の屈曲部５６ａ（図２において二点鎖線で示す）を設けるようにしてもよい。
【００２３】
このように屈曲部５６ａを設けることにより、取付具５Ａを内枠４に取り付ける際に、作業者が係合端部５６に指等を引掛けることなく、安全に取付具５Ａを取り扱うことができる。
【００２４】
また、上記押さえ部５１は、先端に向かって下り傾斜状、例えば鉛直線に対して４５°に形成されている。このように形成することにより、押さえ部５１が撓んでも確実に先端部をパネル体６の上面に食い込ませて係合することができるので、内枠４に対するパネル体６のずれを防止し、確実にパネル体６を固定することができる。
【００２５】
次に、内枠４の取付手順を図３ないし図５を参照して説明する。
【００２６】
まず、図３に示すように、内枠４の下方フランジ部４４上にパネル体６を載置する。次に、図４に示すように、取付具５Ａの押さえ部５１を、外側から内枠４に設けられたスリット４２に挿通させると共に、パネル体６の上面に押さえ部５１の先端を当接させる。
【００２７】
次に、押さえ部５１をパネル体６の上面に当接係合させた状態で変形腕部５４を内方向に変形させつつ係合肩部５２と係合端部５６を内枠４の上方フランジ部４３に係合させた後、変形腕部５４の押圧を解除すると、変形腕部５４の弾発力によって押さえ部５１の先端がパネル体６の上面に押圧され、内枠４にパネル体６が固定される。
【００２８】
上記のように取付具５Ａを形成することによって、内枠４にパネル体６を確実に固定することができる。また、取付具５Ａを内枠４の外方からスリット４２を介して取り付けることができるので、パネル体６が厚い場合でもパネル体６の取付作業を容易に行うことができる。さらにまた、取付具５Ａを少ない構成要素によって形成することができるので、取付具５Ａの加工工程を少なくすることができると共に、材料の削減を図ることができる。
【００２９】
＜第２実施形態＞
次に、この発明の第２実施形態を、図６ないし図１０を参照して説明する。図６は、この発明の第２実施形態に係るパネル体の取付構造を適用した天井点検口の取付部の要部を示す平面図（ａ）、（ａ）のIII−III線に沿う断面図（ｂ）及び（ｂ）のIV−IV矢視図（ｃ）である。
【００３０】
第２実施形態は、上記第1実施形態における取付具５Ａに代えて取付具５Ｂを適用して強度をもたせるようにした場合である。この場合、取付具５Ｂは、図６ないし図８に示すように、１本の線状ばね部材の両端部に鉤状に形成されて内枠４の下方フランジ部４４上に載置される上記パネル体６の上面に当接係合する一対の押さえ部５１と、内枠４の上方フランジ部４３に係合する左右一対の係合肩部５２と、この左右一対の係合肩部５２を連結する連結部５３と、係合肩部５２と押さえ部５１の基端に連結されると共に、押さえ部５１と係合肩部５２との間に弾発力を促す略Ｌ字状に折曲された左右一対の変形腕部５４とを備えている。
【００３１】
なお、上記押さえ部５１は、第１実施形態と同様に、先端に向かって下り傾斜状、例えば鉛直線に対して４５°に形成されている。このように形成することにより、押さえ部５１が撓んでも確実に先端部をパネル体６の上面に食い込ませて係合することができるので、内枠４に対するパネル体６のずれを防止し、確実にパネル体６を固定することができる。
【００３２】
また、上記連結部５３の中間部位には、内枠４側と反対側に略へ字状に突出する押し代用の折曲部５５が形成されている。このように左右の係合肩部５２を連結する連結部５３の中間部位に、内枠４側と反対側に突出する押し代用の折曲部５５を形成することにより、折曲部５５を内枠４側に押し付けて係合肩部５２を内枠４の上方フランジ部４３に簡単に係合させることができる。したがって、内枠４へのパネル体６の取付作業を容易かつ確実にすることができる。
【００３３】
次に、内枠４の取付手順を図８ないし図１０を参照して説明する。
【００３４】
まず、図８に示すように、内枠４の下方フランジ部４４上にパネル体６を載置する。次に、図９に示すように、取付具５Ｂの押さえ部５１を、外側から内枠４に設けられたスリット４２に挿通させると共に、パネル体６の上面に押さえ部５１の先端を当接させる。
【００３５】
次に、押さえ部５１をパネル体６の上面に当接係合させた状態で変形腕部５４を内方向に変形させつつ係合肩部５２を内枠４の上方フランジ部４３に係合させた後、変形腕部５４の押圧を解除すると、変形腕部５４の弾発力によって押さえ部５１の先端がパネル体６の上面に押圧され、内枠４にパネル体６が固定される。この際、押し代用の折曲部５５を内枠４側に押し付ければ、係合肩部５２を内枠４の上方フランジ部４３に簡単に係合させることができる。
【００３６】
なお、第２実施形態において、その他の部分は、第１実施形態と同様に形成されるので、同一部分には同一符号を付して説明は省略する。
【図面の簡単な説明】
【００３７】
【図１】この発明の第１実施形態に係るパネル体の取付構造を適用した天井点検口の取付部の要部を示す平面図（ａ）、（ａ）のＩ−Ｉ線に沿う断面図（ｂ）及び（ｂ）のII−II矢視図（ｃ）である。
【図２】この発明の第１実施形態における取付具を示す拡大斜視図である。
【図３】この発明の第１実施形態における取付具と内枠を示す斜視図である。
【図４】上記内枠のスリットに第１実施形態における上記取付具を挿通させた状態を示す斜視図である。
【図５】第１実施形態における上記内枠の取付状態を示す斜視図（ａ）、（ａ）の背面斜視図（ｂ）である。
【図６】この発明の第２実施形態に係るパネル体の取付構造を適用した天井点検口の取付部の要部を示す平面図（ａ）、（ａ）のIII−III線に沿う断面図（ｂ）及び（ｂ）のIV−IV矢視図（ｃ）である。
【図７】この発明の第２実施形態における取付具の平面図（ａ）、正面図（ｂ）及び側面図（ｃ）である。
【図８】この発明の第２実施形態における取付具と内枠を示す斜視図である。
【図９】上記内枠のスリットに第２実施形態における上記取付具を挿通させた状態を示す斜視図である。
【図１０】第２実施形態における上記内枠の取付状態を示す斜視図（ａ）、（ａ）の背面斜視図（ｂ）である。
【図１１】従来の天井点検口の取付状態を示す断面図である。
【符号の説明】
【００３８】
１  天井
２  開口部
３  外枠
４  内枠
５Ａ，５Ｂ  取付具
６  パネル体
４１  側壁部
４２  スリット
４３  上方フランジ部
４４  下方フランジ部
５１  押さえ部
５２  係合肩部
５４  変形腕部
５５  押し代用折曲部
【図１】
0004646824.tif 000002
【図２】
0004646824.tif 000003
【図３】
0004646824.tif 000004
【図４】
0004646824.tif 000005
【図５】
0004646824.tif 000006
【図６】
0004646824.tif 000007
【図７】
0004646824.tif 000008
【図８】
0004646824.tif 000009
【図９】
0004646824.tif 000010
【図１０】
0004646824.tif 000011
【図１１】
0004646824.tif 000012